(57)【要約】【課題】  下肢における血液やリンパ液の流れを促進することにより、下肢のむくみを除いて筋力を補強し、体全体の血行やリンパ液の流れを良好にすることにより、疾病に対する免疫力を高めることが可能な下肢筋力補強パンツ及び下肢筋力補強具を提供する。【解決手段】  下肢筋力補強パンツ１０は、下肢全体に装着されるトレーニング用の薄地のパンツ１１に対して、その長手方向の６箇所にて外面側に同軸状に複数の締付けリング部材１３が伸縮自在な状態で縫い付けられている。締付けリング部材１３は、ゴム糸を織って形成された長尺で伸縮自在なゴムベルト１４と、ゴムベルト１４の両端側に互いにワンタッチで解除可能に係止させて輪を形成できる平坦な公知の連結部材１５と、連結部材１５に付設された輪状のゴムベルト１４の長さを調節可能な長さ調節孔１９とにより構成されている。【選択図】    図１
2006241617.tif 000002
【特許請求の範囲】
【請求項１】
ゴム糸を織って形成された長尺で伸縮自在なゴムベルトと、該ゴムベルトの両端側を互いに解除可能に係止させて該ゴムベルトを輪状にする係止手段と、該ゴムベルトの輪の大きさを調節可能な長さ調節手段とを設けてなる複数の締付けリング部材が、人間の下肢全体に装着されるパンツの長手方向の複数箇所にて外面側に同軸状にそれぞれ取り付けられて、該パンツに装着された下肢を締め付けることができることを特徴とする下肢筋力補強パンツ。
【請求項２】
前記係止手段が、前記ゴムベルトの両端に固定されて互いに解除可能にワンタッチで係止する一対の係止具からなる連結部材であり、前記長さ調節手段が、一方の該係止具に付設されて、該ゴムベルトを一端側にて折り返した状態にすると共に折り返した状態で該ゴムベルトを解除可能に固定する折返し部を有し、該折返し部にて該ゴムベルトを緩めることにより長さ調節可能にされた長さ調節部材であることを特徴とする前記請求項１に記載の下肢筋力補強パンツ。
【請求項３】
前記係止手段及び長さ調節手段が、前記ゴムベルトの一端に取り付けられた環状のベルト挿入具と、該ベルト挿入具に他端側から挿通されるゴムベルトの折り返し側で互いに重ね合わされたベルト同士を着脱可能に固定する固定部材とにより構成されたことを特徴とする前記請求項１に記載の下肢筋力補強パンツ。
【請求項４】
ゴム糸を織って形成された伸縮自在なゴムベルトと布部を繋ぎ合せて形成され、両下肢の太ももの付根部分と腹部との間に装着される下肢筋力補強具であって、
両下肢の胴への付根部分に挿嵌される環状の左右一対の下肢挿嵌リング部と、該一対の下肢挿嵌リング部をその周方向の１箇所で互いに連結する布製の連結布部と、腹部に巻き付けられて両端部分が前側で解除可能に連結されて環状にされる腹部ベルト部と、前記下肢挿嵌リング部を前記連結布部の後側で水平に連結する後側水平連結ベルト部と、該後側水平連結ベルト部の左右中央から上方に延びて前記腹部ベルト部の後側中央に連結される後側上下連結ベルト部と、該後側水平連結ベルト部の左右両側から延びて前側に回されて前記腹部ベルト部の前側中央部に着脱可能に連結される前後連結ベルト部と、前記連結布部の前側の左右２ヶ所と前記前後連結ベルト部の前側２ヶ所を上下に連結する一対の前上下連結ベルト部と、前記左右一対の下肢挿嵌リング部の両外側部と前記前後連結ベルト部の間を連結する一対の側部上下連結ベルト部とを設けたことを特徴とする下肢筋力補強具。
【請求項５】
前記下肢挿嵌リング部及び前記腹部ベルト部の環の大きさが調節可能にされたことを特徴とする前記請求項４に記載の下肢筋力補強具。
【請求項６】
前記前後連結ベルト部への、前記前上下連結部ベルト部及び側部上下連結ベルト部の取り付け部分が、該前後連結ベルト部に対して摺動可能にされたことを特徴とする前記請求項４又は５に記載の下肢筋力補強具。
【発明の詳細な説明】
【技術分野】
【０００１】
本発明は、下肢における血液やリンパ液の流れを促進することにより下肢のむくみを除き、筋力を補強する下肢筋力補強パンツ及び下肢筋力補強具に関する。
【背景技術】
【０００２】
高齢化社会の到来の中で、老化による障害、特に脳血管障害等による寝たきり状態や痴呆状態の老人等に対する介護の増大が社会的にまた医療財政的に大きな問題となっている。これらの介護増大に対処するには、脳血管障害等による寝たきり等の要介護状態の老人等を自立可能な状態に回復させるためのリハビリテーション方法を発展させることに加えて、これら要介護状態を未然に防ぐための予防方法の充実及びその成人への徹底が極めて重要になってくる。このような要介護状態を未然に防ぐため、下肢の強化は非常に重要になってくる。本来、下肢の静脈血管には血液の逆流を防ぐための静脈弁が設けられており、筋肉ポンプ作用と相俟って、たえず血液が体の上方に向って流れるようになっている。しかし、運動不足や加齢等により下肢が弱ってくると、このような血液を体の上方に向けてスムーズに送り出す機能が衰えてくる。これを防いで下肢を強化することにより、体全体の血液やリンパ液の流れが促進され、それにより脳や体の疲労をとることができ、疾病に対する免疫力を高める効果が得られる。下肢の強化には、１日１万歩程度の散歩がよいとされているが、時間を要するため忙しい現代人にとってはクリアが困難になっている。また、下肢が弱ってしまうと、なかなか継続して長時間の散歩を行うことも困難になってくる。
【０００３】
従来、例えば特許文献１に示すように、着衣時に四肢の基端部を強く締め付けることでその四肢における血流を阻害するようにされた輪状の血流阻害バンドが、四肢を覆う筒状部分の少なくとも１つの基端部に固定的に設けられている筋肉増強用の衣服が知られている。この衣服については、同文献の発明者による、筋肉において血流を阻害することにより筋肉に大きな疲労を与え、それにより筋肉の飛躍的な増強を図ろうとする考えに基づくものであり、四肢の少なくとも１つの基端部を締め付けて血流を阻害するもので，四肢を覆う筒状部のすべてに設ける必要は必ずしもないというものである。
【特許文献１】特開２０００−２７００８号公報
【０００４】
しかし、上記特許文献１によれば、四肢の少なくとも１つの基端部を強く締め付けて血流を阻害するものであり、スムーズな血流を促進することに反するものであり、実践的に見ても矛盾があり適当なものではない。場合によっては、装着者の体に悪影響を及ぼすおそれがあり問題である。
【発明の開示】
【発明が解決しようとする課題】
【０００５】
本発明は、上記問題を解決しようとするもので、短時間の歩行によっても、下肢における血液やリンパ液の流れを促進することにより、下肢のむくみを除いたり筋力を補強したりして、体全体の血行やリンパ液の流れを良好にすることができ、疾病に対する免疫力を高めることが可能な下肢筋力補強パンツ及び下肢筋力補強具を提供することを目的とする。
【課題を解決するための手段】
【０００６】
上記目的を達成するために、本発明の構成上の特徴は、ゴム糸を織って形成された長尺で伸縮自在なゴムベルトと、ゴムベルトの両端側を互いに解除可能に係止させてゴムベルトを輪状にする係止手段と、ゴムベルトの輪の大きさを調節可能な長さ調節手段とを設けてなる複数の締付けリング部材が、人間の下肢全体に装着されるパンツの長手方向の複数箇所にて外面側に同軸状にそれぞれ取り付けられて、パンツに装着された下肢を締め付けることができることにある。なお、締付けリング部材の取り付け箇所は、４から８箇所であることが好ましい
【０００７】
上記のように構成した本発明においては、下肢筋力補強パンツが人間の下肢全体に装着されることにより、下肢の複数箇所にて外周側に取り付けられた締付けリング部材のゴムベルトが伸縮自在に変形することによって、下肢が複数箇所において適度に締め付けられる。この状態で装着者が散歩等の軽い歩行を行うことにより、下肢の足先から上体に向けて流れる血液等が複数箇所にて締付けリング部材によって止められ、その地点から上方に送り出されるポンプのような作用が締付けリング部材によって発揮される。上述のように、下肢静脈血管には逆流防止のための静脈弁が設けられており、筋肉ポンプ作用と相俟って血液を絶えず上方に流すようになっているが、本発明の下肢筋力補強パンツによりこの作用の効率が一層高められ、足先からの血液やリンパ液が下肢に留まることなくスムーズに上体に戻されるので、下肢のむくみが防止される。また、下肢から血液とリンパ液がスムーズに上体に戻されることにより、体全体の血流やリンパ液の流れが促進されるため、疾病に対する免疫力が高められて脳血管障害等が防止される。また、脳血管障害やそれに伴う後遺症により、体全体の血流やリンパ液の流れが損なわれていても、下肢筋力補強パンツを装着して軽く歩行を行うことにより、血流やリンパ液のスムーズな流れが回復して、症状を改善させる効果が得られる。
【０００８】
また、本発明において、係止手段が、ゴムベルトの両端に固定されて互いに解除可能にワンタッチで係止する一対の係止具からなる連結部材であり、長さ調節手段が、一方の係止具に付設されて、ゴムベルトを一端側にて折り返した状態にすると共に折り返した状態でゴムベルトを解除可能に固定する折返し部を有し、折返し部にてゴムベルトを緩めることにより長さ調節可能にされた長さ調節部材であってもよい。これにより、下肢筋力補強パンツを下肢に装着した者が、締付けリング部材を連結部材によりワンタッチで係止することができる。また、長さ調節部材により、折り返し部にてゴムベルトを緩めてゴムベルトの折り返された部分の長さを調節して、折り返し部にてゴムベルトを固定することにより、ゴムベルトの輪の長さを調節することができ、締付けリング部による締付けの強さを簡単にかつ適正に調節することができる。
【０００９】
また、本発明において、係止手段及び長さ調節手段が、ゴムベルトの一端に取り付けられた環状のベルト挿入具と、ベルト挿入具に他端側から挿通されるゴムベルトの折り返し側で互いに重ね合わされたベルト同士を着脱可能に固定する固定部材とにより構成されたものであってもよい。これにより、ゴムベルトの一端に取り付けられた環状のベルト挿入具に、ゴムベルトを他端側から挿通し、ゴムベルトを折り返して折り返し側で互いにベルト同士を取付具で固定することにより、ゴムベルトの締付けの強さを調節しつつゴムベルト同士を係止させて固定することができる。
【００１０】
また、本発明の他の特徴は、ゴム糸を織って形成された伸縮自在なゴムベルトと布部を繋ぎ合せて形成され、両下肢の太ももの付根部分と腹部との間に装着される下肢筋力補強具であって、両下肢の胴への付根部分に挿嵌される環状の左右一対の下肢挿嵌リング部と、一対の下肢挿嵌リング部をその周方向の１箇所で互いに連結する布製の連結布部と、腹部に巻き付けられて両端部分が前側で解除可能に連結されて環状にされる腹部ベルト部と、下肢挿嵌リング部を連結布部の後側で水平に連結する後側水平連結ベルト部と、後側水平連結ベルト部の左右中央から上方に延びて腹部ベルト部の後側中央に連結される後側上下連結ベルト部と、後側水平連結ベルト部の左右両側から延びて前側に回されて腹部ベルト部の前側中央部に着脱可能に連結される前後連結ベルト部と、連結布部の前側の左右２ヶ所と前後連結ベルト部の前側２ヶ所を上下に連結する一対の前上下連結ベルト部と、左右一対の下肢挿嵌リング部の両外側部と前後連結ベルト部の間を連結する一対の側部上下連結ベルト部とを設けたことにある。
【００１１】
他の特徴においては、まず、左右一対の下肢挿嵌リング部が両下肢に挿入され、両下肢の胴への付根部分に挿嵌されることにより、付根部が締め付けられる。つぎに、腹部ベルト部が、腹部に巻き付けられて前側で連結されることにより腹部に固定される。これにより、左右一対の下肢挿嵌リング部と腹部ベルト部とが、後側水平連結ベルト部と後側上下連結ベルト部によって連結されており、それぞれが伸縮自在なゴムベルトで構成されていることにより上下に互いに引っ張り合った状態にされる。つぎに、前後連結ベルト部が上方に引張られて上端側が腹部ベルト部の前側中央に固定される。この状態で、前後連結ベルト部と連結布部との間が前上下連結ベルト部によって連結されると共に、前後連結ベルト部と一対の下肢挿嵌リング部との間が側部上下連結ベルト部によって連結されており、それぞれが伸縮自在なゴムベルトで構成されていることにより上下に互いに引っ張り合った状態にされる。そのため、両下肢の太ももの上体への付根部分が、一対の下肢挿嵌リング部によってそれぞれ締め付けられると共に、付根部分内側のそけい部を中心として付根部分全体が腹部側に引張られた状態になる。
【００１２】
このように他の特徴においては、太もも部分を中心として下肢全体の筋肉が上方に引張られた状態になるため、下肢全体の血流やリンパ液の流れが促されて、下肢から上体に向けて、足先からの血液やリンパ液が下肢に留まることなくスムーズに上体に戻されるので、下肢のむくみが防止される。また、下肢から血液とスムーズに上体に戻されることにより、体全体の血流やリンパ液の流れが促進され、それにより、疾病に対する免疫力が高められて脳血管障害等が防止される。特に、下肢筋力補強具を装着した状態で軽く散歩等を行うことにより、これらの効果が一層高められる。また、脳血管障害やそれに伴う後遺症により、体全体の血流やリンパ液の流れが損なわれている患者に対しても、下肢筋力補強具を装着した状態で軽く歩行を行うことにより、血流やリンパ液のスムーズな流れが回復することにより、症状を改善させる効果が得られる。
【００１３】
また、本発明において、下肢挿嵌リング部及び腹部ベルト部の環の大きさが調節可能にされることが好ましい。これにより、下肢挿嵌リング部の下肢への締付け状態及び腹部ベルト部の腹部への締付け状態を、下肢や腹部の太さに合わせて適正かつ自由に調節することができる。
【００１４】
また、本発明において、前後連結ベルト部への、前上下連結部ベルト部及び側部上下連結ベルト部の取り付け部分が、前後連結ベルト部に対して摺動可能にされてもよい。これにより、前上下連結部ベルト部及び側部上下連結ベルト部が、前後連結ベルト部に対して摺動することにより、下肢筋力補強具の下肢への装着がスムーズに行われる。
【発明の効果】
【００１５】
本発明によれば、下肢筋力補強パンツを装着して軽く散歩等を行うことにより、複数箇所に設けた締付けリング部材によって、足先からの血液やリンパ液が下肢に留まることなくスムーズに上体に戻されるので、下肢のむくみが防止されると共に、体全体の血流やリンパ液の流れが促進される。その結果、本発明においては、疾病に対する免疫力が高められて脳血管障害等が防止され、さらに、脳血管障害やそれに伴う後遺症についても、症状を改善させる効果が得られる。
【００１６】
また、本発明によれば、各部が伸縮自在なゴムベルトで構成された下肢筋力補強具を装着することにより、両下肢の太ももの上体への付根部分が、一対の下肢挿嵌リング部によってそれぞれ締め付けられると共に、付根部分内側のそけい部を中心として付根部分全体が腹部側に引張られた状態になるため、太もも部分を中心として下肢全体の筋肉が引張られた状態になり、下肢全体の血流やリンパ液の流れが促されて、下肢から上体に向けて、足先からの血液やリンパ液が下肢に留まることなくスムーズに上体に戻される。その結果、本発明においては、下肢のむくみが防止され、下肢から血液やリンパ液がスムーズに上体に戻されることにより、体全体の血流やリンパ液の流れが促進され、それにより、疾病に対する免疫力が高められて脳血管障害等が防止されると共に、脳血管障害やそれに伴う後遺症の症状を改善させる効果が得られ、特に下肢筋力補強具を装着して軽く歩行を行うことによりこれらの効果がさらに高められる。
【発明を実施するための最良の形態】
【００１７】
以下、本発明の一実施例について図面を用いて説明する。図１、図２は、実施例１である下肢筋力補強パンツを正面図及び一部拡大正面図により概略的に示したものである。下肢筋力補強パンツ１０は、下肢全体に装着されるトレーニング用の薄地のパンツ１１に対して、その長手方向の６箇所にて外面側に同軸状に複数の締付けリング部材１３が伸縮自在な状態で縫い付けられている。締付けリング部材１３は、ゴム糸を織って形成された長尺で伸縮自在なゴムベルト１４と、ゴムベルト１４の両端側に互いにワンタッチで解除可能に係止させて輪を形成できる平坦な公知の連結部材１５と、連結部材１５に付設された輪状のゴムベルト１４の長さを調節可能な長さ調節孔１８とにより構成されている。
【００１８】
連結部材１５は、ゴムベルト１４の両端に固定された第１係止具１６及び第２係止具１７とにより構成されている。図３−１，２に示すように、第１係止具１６は、幅方向に弾性的に変形可能な弾性挿嵌部１６ａとその幅方向両側に爪部１６ｂを設けており、第２係止具１７の挿嵌孔１７ａ内部に弾性挿嵌部１６ａを挿嵌することにより、第１及び第２係止具１６，１７が互いにワンタッチで係止するようになっている。また、第１係止具１６の幅方向に突出した爪部１６ａを押すことにより、第１及び第２係止具１６，１７の係止状態がワンタッチで解除される。
【００１９】
第２係止具１７には、挿嵌孔１７ａの反対位置に長さ調整部１８が設けられている。長さ調整部１８は、枠に囲まれた長さ調節孔１９を設けており、調節孔１９内に幅方向両側に延びた係合棒１９を設けている。調節孔１９内にゴムベルト１４を通して係合棒１９に係合させて、調節孔１９から先端部１４ａを引出すことにより、ゴムベルト１４が第２係止具１７に連結されると共にその長さ調節が可能にされている。この下肢筋力補強パンツ１０は、両下肢が挿入された状態で、複数の締付けリング部材１３を長さ調節孔１９で長さ調節して連結部材１５で連結させることにより、それぞれ複数の締付けリング部材１３によって両下肢の複数箇所が適度な締付け力で締め付けられる。
【００２０】
そのため、実施例１においては、下肢の複数箇所に設けた外周側に巻付けられた締付けリング部材１３のゴムベルト１４が伸縮自在に変形することによって、下肢が複数箇所において適度に締め付けられる。この状態で装着者が適度な歩行を行うことにより、下肢の足先から上体に向けて流れる血液等が複数箇所にて締付けリング部材１３によって止められ、その地点から上方に送り出されるポンプのような作用が締付けリング部材１３によって発揮される。そのため、下肢の足先から上体に向けて流れる血液等が下方に戻ることなく、順次上方にスムーズに送られ、足先からの血液やリンパ液が下肢に留まることなくスムーズに上体に戻される。その結果、実施例１においては、下肢のむくみが防止され、また、体全体の血流やリンパ液の流れが促進されるため、疾病に対する免疫力が高められて脳血管障害等が防止される。また、脳血管障害やそれに伴う後遺症により、体全体の血流やリンパ液の流れが損なわれていても、下肢筋力補強パンツを装着して軽く歩行を行うことにより、血流やリンパ液のスムーズな流れが回復するため、症状を改善させる効果が得られる。
【００２１】
つぎに、実施例１の変形例について説明する。
変形例においては、上記締付けリング部材１３の連結部材１５の代りに、係止手段及び長さ調整津手段として、図４に示すように、ゴムベルト１４の一端に取り付けられた長さ調節手段である環状のベルト挿入具２２と、ベルト挿入具２２に他端側から挿通されるゴムベルト１４の折り返し側で互いにベルト同士に設けた面状ファスナ２３を設けたものである。これにより、ベルト挿入具２２にゴムベルト１４を挿入して他端側から引張って、下肢への締付け状態を調節してその先端をゴムベルト１４に重ね合せて面状ファスナ２３で接着することにより、上記実施例１と同様に、締付けリング部材２１を下肢を適正な状態に締め付けて固定することができる。
【００２２】
つぎに、実施例２について説明する。
実施例２は、両下肢１の太ももの付根部分２と上体の腹部３との間に装着される、ゴム糸を織って形成された伸縮自在なゴムベルトを繋ぎ合せて形成された下肢筋力補強具３０に関するものである。図５は、下肢筋力補強具３０の展開状態を正面図により示したものであり、図６−１〜３は、下肢筋力補強具３０の身体への装着状態を正面図、背面図及び側面図により示したものである。
【００２３】
下肢筋力補強具３０は、両下肢１の太もも２の上体への付根部分に挿嵌される左右一対の下肢挿嵌リング部３１を設けており、一対の下肢挿嵌リング部３１はその対向する内側部分が布製の略長方形の連結布部３２で連結されている。一対の下肢挿嵌リング部３１が連結布部３２の後側で後側水平連結ベルト部３３により水平に連結されている。下肢挿嵌リング部３１は、中間にて前側部３１ａと後側部３１ｂに分割されており、その間に設けた金属製のリング３１ｃを通して前側部３５ａは固定されており、後側部３１ｂはリング３１ｃを通して前側に折り返されており、折り返し部先端が後側部３１ｂに重ね合わされて面状ファスナ３１ｄによって固定されている。これにより、下肢挿嵌リング部３１の径が太ももの太さに合わせて調節可能なようになっている。
【００２４】
また、下肢筋力補強具３０は、腹部３に巻き付けられて両端部分が前側で解除可能に連結されてリング状にされる腹部ベルト部３４を設けている。後側水平連結ベルト部３３の左右中央と腹部ベルト部３４の後側中央間が、後側上下連結ベルト部３５により連結されている。後側上下連結ベルト部３５は、上端側で上側部３５ａと下側部３５ｂに分割されており、その間に設けた金属製のリング３５ｃを通して上側部３５ａは固定されており、下側部３５ｂはリング３５ｃを通して後側に折り返されており、折り返し部先端が下側部３５ｂに重ね合わされて面状ファスナ３５ｄによって固定されている。これにより、後側上下連結ベルト部３５の上下長さが体に合わせて調節可能なようになっている。
【００２５】
後側水平連結ベルト部３３の左右両側から延びて前側に回された前後連結ベルト３６が、腹部ベルト部３４の前側中央部に着脱可能に連結されるようになっている。前後連結ベルト部３６は、後側水平連結ベルト部３３の左右両側から延びた一対の左右側部３６ａを前側で一本に重ね合せて重ね合わせ部３６ｂとなっている。重ね合せ部３６ｂの先端側に面状ファスナ３６ｃを設けており、重ね合せ部部３６ｂが面状ファスナ３６ｃによって上記腹部ベルト部３４の前側に固定されるようになっており、前側の上下長さを調節できるようになっている。前後連結ベルト部３６は、左右側部３６ａの重ね合せ部３６ｂ近傍位置で、連結布部３２の前側の左右２ヶ所に取りつけられた一対の前上下連結ベルト部３７と摺動可能に連結されている。また、前後連結ベルト部３６は、左右側部３６ａ後側部分において、左右一対の下肢挿嵌リング部３１の両外側部に固定された側部上下連結ベルト部３８と摺動可能に連結されている。これにより、前後連結ベルト部３６の上下の移動がスムーズにされる。
【００２６】
上記下肢筋力補強具３０の体への装着について、図５及び図６−１〜３により説明する。まず、左右一対の下肢挿嵌リング部３１に両下肢１を挿入して、両下肢１の上体への付根部分に挿嵌して両太もも２を締め付け、つぎに腹部ベルト部３４を腹部３に巻き付けて前側で面状ファスナ３４ａで連結して固定する。これにより、左右一対の下肢挿嵌リング部３１と腹部ベルト部３４とが、後側水平連結ベルト部３３と後側上下連結ベルト部３５によって連結されているため、それぞれが伸縮自在なゴムベルトで構成されていることにより上下に互いに引っ張り合った状態にされる。
【００２７】
つぎに、前後連結ベルト部３６が上方に引張られて上端側の面状ファスナ３６ｃが腹部ベルト部３４の前側中央部に取り付けられる。この状態で、前後連結ベルト部３６と連結布部３２との間が、前上下連結ベルト部３７によって連結されると共に、前後連結ベルト部３６と一対の下肢挿嵌リング部３１との間が、側部上下連結ベルト部３８によって連結されているため、それぞれが伸縮自在なゴムベルトで構成されていることにより上下に互いに引っ張り合った状態にされる。そのため、両下肢１の太もも２の上体への付根部分が、一対の下肢挿嵌リング部３１によってそれぞれ締め付けられると共に、付根部分内側のそけい部を中心として付根部分全体が腹部側に引張られた状態になる。
【００２８】
そのため、太もも２部分を中心として下肢１全体の筋肉が引張られた状態になるため、下肢１全体の血流やリンパ液の流れが促されて、下肢１から上体に向けて足先からの血液やリンパ液が下肢に留まることなくスムーズに上体に戻される。その結果、実施例２においては、下肢のむくみが防止され、また、体全体の血流やリンパ液の流れが促進され、それにより、疾病に対する免疫力が高められて脳血管障害等が防止される。特に、下肢筋力補強具３０を装着して軽く散歩等を行うことにより、これらの効果はさらに高められる。また、脳血管障害やそれに伴う後遺症により、体全体の血流やリンパ液の流れが損なわれている患者に対しても、下肢筋力補強具３０を装着して軽く歩行を行うことにより、血流やリンパ液のスムーズな流れが回復できることにより、症状を改善させる効果が得られる。
【００２９】
なお、上記実施例１，２においては、下肢筋力補強パンツ１０と下肢筋力補強具３０とがそれぞれ単独で説明されておリ、それぞれの効果が得られるが、これら両者を併せて使用することにより、両者の効果を合わせたさらに大きな効果が得られる。その他、上記実施例１，２に示した下肢筋力補強パンツ、下肢筋力補強具については一例であり、本発明の趣旨を逸脱しない範囲において種々変更して実施することができる。
【産業上の利用可能性】
【００３０】
本発明の下肢筋力補強パンツは、下肢筋力補強パンツを装着して軽く散歩等を行うことにより、複数箇所に設けた締付けリング部材によって、足先からの血液やリンパ液が下肢に留まることなくスムーズに上体に戻されるので、下肢のむくみが防止されると共に、体全体の血流やリンパ液の流れが促進され、疾病に対する免疫力が高められて脳血管障害等が防止され、さらに、脳血管障害やそれに伴う後遺症についても、症状を改善させる効果が得られるので有用である。また、本発明の下肢筋力補強具は、太もも部分を中心として下肢全体の筋肉が引張られた状態になり、下肢全体の血流やリンパ液の流れが促されて、下肢から上体に向けて、足先からの血液やリンパ液が下肢に留まることなくスムーズに上体に戻され、下肢のむくみが防止されると共に体全体の血流やリンパ液の流れが促進され、それにより、疾病に対する免疫力が高められて脳血管障害等が防止されるため、有用である。
【図面の簡単な説明】
【００３１】
【図１】本発明の実施例１である下肢筋力補強パンツを概略的に示す正面図である。
【図２】同下肢筋力補強パンツの要部を拡大して示す一部拡大正面図である。
【図３−１】同下肢筋力補強パンツの締付けリング部材を構成する連結部材の解除状態を示す正面図である。
【図３−２】同連結部材の連結状態を示す正面図である。
【図４】変形例である締付けリング部材を示す一部拡大正面図である。
【図５】実施例２である下肢筋力補強具の展開状態を示す正面図である。
【図６−１】同下肢筋力補強具の装着状態を示す正面図である。
【図６−２】同下肢筋力補強具の装着状態を示す背面図である。
【図６−３】同下肢筋力補強具の装着状態を示す右側面図である。
【符号の説明】
【００３２】
１０…下肢筋力補強パンツ、１２…支持台、１３…締付けリング部材、１４…ゴムベルト、１５…連結部材、１６…第１係止部、１７…第２係止部、１９…長さ調節孔、２１…締付けリング部材、３０…下肢筋力補強具、３１…下肢挿嵌リング部、３２…連結布部、３３…後側水平連結ベルト部、３４ａ…腹部ベルト部、３５…後側上下連結ベルト部、３６…前後連結ベルト部、３７…前上下連結ベルト部、３８…側部上下連結ベルト部。
【図１】
2006241617.tif 000003
【図２】
2006241617.tif 000004
【図３−１】
2006241617.tif 000005
【図３−２】
2006241617.tif 000006
【図４】
2006241617.tif 000007
【図５】
2006241617.tif 000008
【図６−１】
2006241617.tif 000009
【図６−２】
2006241617.tif 000010
【図６−３】
2006241617.tif 000011
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
ゴム糸を織って形成された長尺で伸縮自在なゴムベルトと、該ゴムベルトの両端側を互いに解除可能に係止させて該ゴムベルトを輪状にする係止手段と、該ゴムベルトの輪の大きさを調節可能な長さ調節手段とを設けてなる複数の締付けリング部材が、人間の下肢全体に装着されるパンツの長手方向のそれぞれ４〜８箇所にて外面側に同軸状にそれぞれ取り付けられて、該パンツに装着された下肢を伸縮自在に締め付けることができ、装着者が軽い歩行を行うときに用いるものであることを特徴とする歩行用下肢筋力補強パンツ。
【請求項２】
前記係止手段が、前記ゴムベルトの両端に固定されて互いに解除可能にワンタッチで係止する一対の係止具からなる連結部材であり、前記長さ調節手段が、一方の該係止具に付設されて、該ゴムベルトを一端側にて折り返した状態にすると共に折り返した状態で該ゴムベルトを解除可能に固定する折返し部を有し、該折返し部にて該ゴムベルトを緩めることにより長さ調節可能にされた長さ調節部材であることを特徴とする前記請求項１に記載の歩行用下肢筋力補強パンツ。
【請求項３】
前記係止手段及び長さ調節手段が、前記ゴムベルトの一端に取り付けられた環状のベルト挿入具と、該ベルト挿入具に他端側から挿通されるゴムベルトの折り返し側で互いに重ね合わされたベルト同士を着脱可能に固定する固定部材とにより構成されたことを特徴とする前記請求項１に記載の歩行用下肢筋力補強パンツ。
【手続補正２】
【補正対象書類名】明細書
【補正対象項目名】全文
【補正方法】変更
【補正の内容】
【発明の詳細な説明】
【技術分野】
【０００１】
本発明は、下肢における血液やリンパ液の流れを促進することにより下肢のむくみを除き、筋力を補強する歩行用下肢筋力補強パンツに関する。
【背景技術】
【０００２】
高齢化社会の到来の中で、老化による障害、特に脳血管障害等による寝たきり状態や痴呆状態の老人等に対する介護の増大が社会的にまた医療財政的に大きな問題となっている。これらの介護増大に対処するには、脳血管障害等による寝たきり等の要介護状態の老人等を自立可能な状態に回復させるためのリハビリテーション方法を発展させることに加えて、これら要介護状態を未然に防ぐための予防方法の充実及びその成人への徹底が極めて重要になってくる。このような要介護状態を未然に防ぐため、下肢の強化は非常に重要になってくる。本来、下肢の静脈血管には血液の逆流を防ぐための静脈弁が設けられており、筋肉ポンプ作用と相俟って、たえず血液が体の上方に向って流れるようになっている。しかし、運動不足や加齢等により下肢が弱ってくると、このような血液を体の上方に向けてスムーズに送り出す機能が衰えてくる。これを防いで下肢を強化することにより、体全体の血液やリンパ液の流れが促進され、それにより脳や体の疲労をとることができ、疾病に対する免疫力を高める効果が得られる。下肢の強化には、１日１万歩程度の散歩がよいとされているが、時間を要するため忙しい現代人にとってはクリアが困難になっている。また、下肢が弱ってしまうと、なかなか継続して長時間の散歩を行うことも困難になってくる。
【０００３】
従来、例えば特許文献１に示すように、着衣時に四肢の基端部を強く締め付けることでその四肢における血流を阻害するようにされた輪状の血流阻害バンドが、四肢を覆う筒状部分の少なくとも１つの基端部に固定的に設けられている筋肉増強用の衣服が知られている。この衣服については、同文献の発明者による、筋肉において血流を阻害することにより筋肉に大きな疲労を与え、それにより筋肉の飛躍的な増強を図ろうとする考えに基づくものであり、四肢の少なくとも１つの基端部を締め付けて血流を阻害するもので，四肢を覆う筒状部のすべてに設ける必要は必ずしもないというものである。
【特許文献１】特開２０００−２７００８号公報
【０００４】
しかし、上記特許文献１によれば、四肢の少なくとも１つの基端部を強く締め付けて血流を阻害するものであり、スムーズな血流を促進することに反するものであり、実践的に見ても矛盾があり適当なものではない。場合によっては、装着者の体に悪影響を及ぼすおそれがあり問題である。
【発明の開示】
【発明が解決しようとする課題】
【０００５】
本発明は、上記問題を解決しようとするもので、短時間の歩行によっても、下肢における血液やリンパ液の流れを促進することにより、下肢のむくみを除いたり筋力を補強したりして、体全体の血行やリンパ液の流れを良好にすることができ、疾病に対する免疫力を高めることが可能な歩行用下肢筋力補強パンツを提供することを目的とする。
【課題を解決するための手段】
【０００６】
上記目的を達成するために、本発明の構成上の特徴は、ゴム糸を織って形成された長尺で伸縮自在なゴムベルトと、該ゴムベルトの両端側を互いに解除可能に係止させて該ゴムベルトを輪状にする係止手段と、該ゴムベルトの輪の大きさを調節可能な長さ調節手段とを設けてなる複数の締付けリング部材が、人間の下肢全体に装着されるパンツの長手方向のそれぞれ４〜８箇所にて外面側に同軸状にそれぞれ取り付けられて、該パンツに装着された下肢を伸縮自在に締め付けることができ、装着者が軽い歩行を行うときに用いるものであることにある。
【０００７】
上記のように構成した本発明においては、下肢筋力補強パンツが人間の下肢全体に装着されることにより、下肢のそれぞれ４〜８箇所にて外周側に取り付けられた締付けリング部材のゴムベルトが伸縮自在に変形することによって、下肢が複数箇所において適度に締め付けられる。この状態で装着者が散歩等の軽い歩行を行うことにより、下肢の足先から上体に向けて流れる血液等が複数箇所にて締付けリング部材によって止められ、その地点から上方に送り出されるポンプのような作用が締付けリング部材によって発揮される。上述のように、下肢静脈血管には逆流防止のための静脈弁が設けられており、筋肉ポンプ作用と相俟って血液を絶えず上方に流すようになっているが、本発明の下肢補強パンツによりこの作用の効率が一層高められ、足先からの血液やリンパ液が下肢に留まることなくスムーズに上体に戻されるので、下肢のむくみが防止される。また、下肢から血液とリンパ液がスムーズに上体に戻されることにより、体全体の血流やリンパ液の流れが促進されるため、疾病に対する免疫力が高められて脳血管障害等が防止される。また、脳血管障害やそれに伴う後遺症により、体全体の血流やリンパ液の流れが損なわれていても、下肢筋力補強パンツを装着して軽く歩行を行うことにより、血流やリンパ液のスムーズな流れが回復して、症状を改善させる効果が得られる。
【０００８】
また、本発明において、係止手段が、ゴムベルトの両端に固定されて互いに解除可能にワンタッチで係止する一対の係止具からなる連結部材であり、長さ調節手段が、一方の係止具に付設されて、ゴムベルトを一端側にて折り返した状態にすると共に折り返した状態でゴムベルトを解除可能に固定する折返し部を有し、折返し部にてゴムベルトを緩めることにより長さ調節可能にされた長さ調節部材であってもよい。これにより、下肢筋力補強パンツを下肢に装着した者が、締付けリング部材を連結部材によりワンタッチで係止することができる。また、長さ調節部材により、折り返し部にてゴムベルトを緩めてゴムベルトの折り返された部分の長さを調節して、折り返し部にてゴムベルトを固定することにより、ゴムベルトの輪の長さを調節することができ、締付けリング部による締付けの強さを簡単にかつ適正に調節することができる。
【０００９】
また、本発明において、係止手段及び長さ調節手段が、ゴムベルトの一端に取り付けられた環状のベルト挿入具と、ベルト挿入具に他端側から挿通されるゴムベルトの折り返し側で互いに重ね合わされたベルト同士を着脱可能に固定する固定部材とにより構成されたものであってもよい。これにより、ゴムベルトの一端に取り付けられた環状のベルト挿入具に、ゴムベルトを他端側から挿通し、ゴムベルトを折り返して折り返し側で互いにベルト同士を取付具で固定することにより、ゴムベルトの締付けの強さを調節しつつゴムベルト同士を係止させて固定することができる。
【発明の効果】
【００１０】
本発明によれば、下肢筋力補強パンツを装着して軽く散歩等を行うことにより、複数箇所に設けた締付けリング部材によって、足先からの血液やリンパ液が下肢に留まることなくスムーズに上体に戻されるので、下肢のむくみが防止されると共に、体全体の血流やリンパ液の流れが促進される。その結果、本発明においては、疾病に対する免疫力が高められて脳血管障害等が防止され、さらに、脳血管障害やそれに伴う後遺症についても、症状を改善させる効果が得られる。
【発明を実施するための最良の形態】
【００１１】
以下、本発明の一実施例について図面を用いて説明する。図１、図２は、実施例である歩行用の下肢筋力補強パンツを正面図及び一部拡大正面図により概略的に示したものである。下肢筋力補強パンツ１０は、下肢全体に装着されるトレーニング用の薄地のパンツ１１に対して、その長手方向の６箇所にて外面側に同軸状に複数の締付けリング部材１３が伸縮自在な状態で縫い付けられている。締付けリング部材１３は、ゴム糸を織って形成された長尺で伸縮自在なゴムベルト１４と、ゴムベルト１４の両端側に互いにワンタッチで解除可能に係止させて輪を形成できる平坦な公知の連結部材１５と、連結部材１５に付設された輪状のゴムベルト１４の長さを調節可能な長さ調節部１８とにより構成されている。
【００１２】
連結部材１５は、ゴムベルト１４の両端に固定された第１係止具１６及び第２係止具１７とにより構成されている。図３−１，２に示すように、第１係止具１６は、幅方向に弾性的に変形可能な弾性挿嵌部１６ａとその幅方向両側に爪部１６ｂを設けており、第２係止具１７の挿嵌孔１７ａ内部に弾性挿嵌部１６ａを挿嵌することにより、第１及び第２係止具１６，１７が互いにワンタッチで係止するようになっている。また、第１係止具１６の幅方向に突出した爪部１６ａを押すことにより、第１及び第２係止具１６，１７の係止状態がワンタッチで解除される。
【００１３】
第２係止具１７には、挿嵌孔１７ａの反対位置に長さ調整部１８が設けられている。長さ調整部１８は、枠に囲まれた長さ調節孔１９を設けており、調節孔１９内に幅方向両側に延びた係合棒１９を設けている。調節孔１９内にゴムベルト１４を通して係合棒１９に係合させて、調節孔１９から先端部１４ａを引出すことにより、ゴムベルト１４が第２係止具１７に連結されると共にその長さ調節が可能にされている。この下肢筋力補強パンツ１０は、両下肢が挿入された状態で、複数の締付けリング部材１３を長さ調節孔１９で長さ調節して連結部材１５で連結させることにより、それぞれ複数の締付けリング部材１３によって両下肢の複数箇所が適度な締付け力で締め付けられる。
【００１４】
そのため、実施例においては、下肢の複数箇所に設けた外周側に巻付けられた締付けリング部材１３のゴムベルト１４が伸縮自在に変形することによって、下肢が複数箇所において適度に締め付けられる。この状態で装着者が適度な歩行を行うことにより、下肢の足先から上体に向けて流れる血液等が複数箇所にて締付けリング部材１３によって止められ、その地点から上方に送り出されるポンプのような作用が締付けリング部材１３によって発揮される。そのため、下肢の足先から上体に向けて流れる血液等が下方に戻ることなく、順次上方にスムーズに送られ、足先からの血液やリンパ液が下肢に留まることなくスムーズに上体に戻される。その結果、実施例においては、下肢のむくみが防止され、また、体全体の血流やリンパ液の流れが促進されるため、疾病に対する免疫力が高められて脳血管障害等が防止される。また、脳血管障害やそれに伴う後遺症により、体全体の血流やリンパ液の流れが損なわれていても、下肢筋力補強パンツを装着して軽く歩行を行うことにより、血流やリンパ液のスムーズな流れが回復するため、症状を改善させる効果が得られる。
【００１５】
つぎに、上記実施例の変形例について説明する。
変形例においては、上記締付けリング部材１３の連結部材１５の代りに、係止手段及び長さ調節手段として、図４に示すように、ゴムベルト１４の一端に取り付けられた長さ調節手段である環状のベルト挿入具２２と、ベルト挿入具２２に他端側から挿通されるゴムベルト１４の折り返し側で互いにベルト同士に設けた面状ファスナ２３を設けたものである。これにより、ベルト挿入具２２にゴムベルト１４を挿入して他端側から引張って、下肢への締付け状態を調節してその先端をゴムベルト１４に重ね合せて面状ファスナ２３で接着することにより、上記実施例と同様に、締付けリング部材２１を下肢を適正な状態に締め付けて固定することができる。
【００１６】
つぎに、参考例について説明する。
参考例は、両下肢１の太ももの付根部分２と上体の腹部３との間に装着される、ゴム糸を織って形成された伸縮自在なゴムベルトを繋ぎ合せて形成された下肢筋力補強具３０に関するものである。図５は、下肢筋力補強具３０の展開状態を正面図により示したものであり、図６−１〜３は、下肢筋力補強具３０の身体への装着状態を正面図、背面図及び側面図により示したものである。
【００１７】
下肢筋力補強具３０は、両下肢１の太もも２の上体への付根部分に挿嵌される左右一対の下肢挿嵌リング部３１を設けており、一対の下肢挿嵌リング部３１はその対向する内側部分が布製の略長方形の連結布部３２で連結されている。一対の下肢挿嵌リング部３１が連結布部３２の後側で後側水平連結ベルト部３３により水平に連結されている。下肢挿嵌リング部３１は、中間にて前側部３１ａと後側部３１ｂに分割されており、その間に設けた金属製のリング３１ｃを通して前側部３５ａは固定されており、後側部３１ｂはリング３１ｃを通して前側に折り返されており、折り返し部先端が後側部３１ｂに重ね合わされて面状ファスナ３１ｄによって固定されている。これにより、下肢挿嵌リング部３１の径が太ももの太さに合わせて調節可能なようになっている。
【００１８】
また、下肢筋力補強具３０は、腹部３に巻き付けられて両端部分が前側で解除可能に連結されてリング状にされる腹部ベルト部３４を設けている。後側水平連結ベルト部３３の左右中央と腹部ベルト部３４の後側中央間が、後側上下連結ベルト部３５により連結されている。後側上下連結ベルト部３５は、上端側で上側部３５ａと下側部３５ｂに分割されており、その間に設けた金属製のリング３５ｃを通して上側部３５ａは固定されており、下側部３５ｂはリング３５ｃを通して後側に折り返されており、折り返し部先端が下側部３５ｂに重ね合わされて面状ファスナ３５ｄによって固定されている。これにより、後側上下連結ベルト部３５の上下長さが体に合わせて調節可能なようになっている。
【００１９】
後側水平連結ベルト部３３の左右両側から延びて前側に回された前後連結ベルト３６が、腹部ベルト部３４の前側中央部に着脱可能に連結されるようになっている。前後連結ベルト部３６は、後側水平連結ベルト部３３の左右両側から延びた一対の左右側部３６ａを前側で一本に重ね合せて重ね合わせ部３６ｂとなっている。重ね合せ部３６ｂの先端側に面状ファスナ３６ｃを設けており、重ね合せ部部３６ｂが面状ファスナ３６ｃによって上記腹部ベルト部３４の前側に固定されるようになっており、前側の上下長さを調節できるようになっている。前後連結ベルト部３６は、左右側部３６ａの重ね合せ部３６ｂ近傍位置で、連結布部３２の前側の左右２ヶ所に取りつけられた一対の前上下連結ベルト部３７と摺動可能に連結されている。また、前後連結ベルト部３６は、左右側部３６ａ後側部分において、左右一対の下肢挿嵌リング部３１の両外側部に固定された側部上下連結ベルト部３８と摺動可能に連結されている。これにより、前後連結ベルト部３６の上下の移動がスムーズにされる。
【００２０】
上記下肢筋力補強具３０の体への装着について、図５及び図６−１〜３により説明する。まず、左右一対の下肢挿嵌リング部３１に両下肢１を挿入して、両下肢１の上体への付根部分に挿嵌して両太もも２を締め付け、つぎに腹部ベルト部３４を腹部３に巻き付けて前側で面状ファスナ３４ａで連結して固定する。これにより、左右一対の下肢挿嵌リング部３１と腹部ベルト部３４とが、後側水平連結ベルト部３３と後側上下連結ベルト部３５によって連結されているため、それぞれが伸縮自在なゴムベルトで構成されていることにより上下に互いに引っ張り合った状態にされる。
【００２１】
つぎに、前後連結ベルト部３６が上方に引張られて上端側の面状ファスナ３６ｃが腹部ベルト部３４の前側中央部に取り付けられる。この状態で、前後連結ベルト部３６と連結布部３２との間が、前上下連結ベルト部３７によって連結されると共に、前後連結ベルト部３６と一対の下肢挿嵌リング部３１との間が、側部上下連結ベルト部３８によって連結されているため、それぞれが伸縮自在なゴムベルトで構成されていることにより上下に互いに引っ張り合った状態にされる。そのため、両下肢１の太もも２の上体への付根部分が、一対の下肢挿嵌リング部３１によってそれぞれ締め付けられると共に、付根部分内側のそけい部を中心として付根部分全体が腹部側に引張られた状態になる。
【００２２】
そのため、太もも２部分を中心として下肢１全体の筋肉が引張られた状態になるため、下肢１全体の血流やリンパ液の流れが促されて、下肢１から上体に向けて足先からの血液やリンパ液が下肢に留まることなくスムーズに上体に戻される。その結果、参考例においては、下肢のむくみが防止され、また、体全体の血流やリンパ液の流れが促進され、それにより、疾病に対する免疫力が高められて脳血管障害等が防止される。特に、下肢筋力補強具３０を装着して軽く散歩等を行うことにより、これらの効果はさらに高められる。また、脳血管障害やそれに伴う後遺症により、体全体の血流やリンパ液の流れが損なわれている患者に対しても、下肢筋力補強具３０を装着して軽く歩行を行うことにより、血流やリンパ液のスムーズな流れが回復できることにより、症状を改善させる効果が得られる。
【００２３】
なお、上記実施例と参考例においては、下肢筋力補強パンツ１０と下肢筋力補強具３０とがそれぞれ単独で説明されておリ、それぞれの効果が得られるが、これら両者を併せて使用することにより、両者の効果を合わせたさらに大きな効果が得られる。その他、上記実施例と参考例に示した下肢筋力補強パンツ、下肢筋力補強具については一例であり、本発明の趣旨を逸脱しない範囲において種々変更して実施することができる。
【産業上の利用可能性】
【００２４】
本発明の歩行用下肢筋力補強パンツは、下肢筋力補強パンツを装着して軽く散歩等を行うことにより、複数箇所に設けた締付けリング部材によって、足先からの血液やリンパ液が下肢に留まることなくスムーズに上体に戻されるので、下肢のむくみが防止されると共に、体全体の血流やリンパ液の流れが促進され、疾病に対する免疫力が高められて脳血管障害等が防止され、さらに、脳血管障害やそれに伴う後遺症についても、症状を改善させる効果が得られるので有用である。また、参考例の下肢筋力補強具は、太もも部分を中心として下肢全体の筋肉が引張られた状態になり、下肢全体の血流やリンパ液の流れが促されて、下肢から上体に向けて、足先からの血液やリンパ液が下肢に留まることなくスムーズに上体に戻され、下肢のむくみが防止されると共に体全体の血流やリンパ液の流れが促進され、それにより、疾病に対する免疫力が高められて脳血管障害等が防止されるため、有用である。
【図面の簡単な説明】
【００２５】
【図１】本発明の実施例である下肢筋力補強パンツを概略的に示す正面図である。
【図２】同下肢筋力補強パンツの要部を拡大して示す一部拡大正面図である。
【図３−１】同下肢筋力補強パンツの締付けリング部材を構成する連結部材の解除状態を示す正面図である。
【図３−２】同連結部材の連結状態を示す正面図である。
【図４】変形例である締付けリング部材を示す一部拡大正面図である。
【図５】参考例である下肢筋力補強具の展開状態を示す正面図である。
【図６−１】同下肢筋力補強具の装着状態を示す正面図である。
【図６−２】同下肢筋力補強具の装着状態を示す背面図である。
【図６−３】同下肢筋力補強具の装着状態を示す右側面図である。
【符号の説明】
【００２６】
１０…下肢筋力補強パンツ、１２…支持台、１３…締付けリング部材、１４…ゴムベルト、１５…連結部材、１６…第１係止部、１７…第２係止部、１９…長さ調節孔、２１…締付けリング部材、３０…下肢筋力補強具、３１…下肢挿嵌リング部、３２…連結布部、３３…後側水平連結ベルト部、３４ａ…腹部ベルト部、３５…後側上下連結ベルト部、３６…前後連結ベルト部、３７…前上下連結ベルト部、３８…側部上下連結ベルト部。